(57)【要約】      （修正有）【課題】スライダーの引き手が左右に揺れることがなく外観性が向上するスーツケースを提供する。【解決手段】ケース本体１１と、蓋体１２と、ファスナー２０と、キャスター１４とを備えているスーツケース１０において、ファスナー２０は、一条当たり２個のスライダー３１、３２を有し、スライダー３１、３２は、利用者が摘む引き手３３、３４を有し、引き手３３、３４に永久磁石６８が設けられ、ケース本体１１に鋼片６９が設けられている。【選択図】図９
2019216978.tif 000002
【特許請求の範囲】
【請求項１】
ケース本体と、このケース本体の開口を塞ぐ蓋体と、この蓋体と前記ケース本体を開閉自在に繋ぐファスナーと、キャスターとを備えているスーツケースにおいて、
前記ファスナーは、一条当たり２個のスライダーを有し、
前記スライダーは、利用者が摘む引き手を有し、
前記引き手が、前記ケース本体の所定位置に仮固定されるように、前記引き手と前記ケース本体の一方に永久磁石が設けられ、前記引き手と前記ケース本体の他方に前記永久磁石が吸着する鋼片が設けられていることを特徴とするスーツケース。
【請求項２】
請求項１記載のスーツケースであって、
前記所定位置に、前記２個のスライダーをカバーすると共に施錠が可能なスライダーカバーが設けられていることを特徴とするスーツケース。
【請求項３】
請求項２記載のスーツケースであって、
前記スライダーカバーは、前記ケース本体と前記蓋体の一方に固定されたカバーベースと、前記ケース本体と前記蓋体の他方にヒンジを介して取付けられ前記カバーベースに嵌る又は外れる開閉カバーと、からなり、
前記カバーベースに前記永久磁石又は前記鋼片が設けられていることを特徴とするスーツケース。
【請求項４】
請求項３記載のスーツケースであって、
前記カバーベースは、前記引き手を収納する凹部を備え、この凹部の底に前記永久磁石又は前記鋼片が設けられていることを特徴とするスーツケース。
【請求項５】
請求項２〜４のいずれか１項記載のスーツケースであって、
前記ファスナーは、防水ファスナーであり、
前記スライダーカバーは、前記所定位置にある前記２個のスライダーを覆って前記２個のスライダー間の防水性を高めるパッキンを備えていることを特徴とするスーツケース。
【発明の詳細な説明】
【技術分野】
【０００１】
本発明は、スーツケースにおいて、スライダーに付属する引き手の収まりをよくする技術に関する。
【背景技術】
【０００２】
ケース本体と、このケース本体の開口を塞ぐ蓋体と、ケース本体と蓋体とを繋ぐファスナーと、床面を走向するキャスターとを備えるスーツケースが、広く実用に供されている（例えば、特許文献１（図１）参照）。
【０００３】
特許文献１に開示されるスーツケースは、一条のファスナー当たり２個のスライダーを備えているため、各スライダーの走行距離が半分になり、開閉操作に係る時間が短くなるという利点がある。
【０００４】
ところで、スライダーは、利用者が摘む引き手及びこの引き手を移動自在に支えるＵ字環を備えている。
キャスターでスーツケースを走向させると、床面の凹凸を受けて、スーツケースが上下に振動する。この振動を受けて、一対の引き手が揺れる。この揺れにより、スーツケースの外観性が低下する。
【０００５】
スーツケースの外観性向上が求められ中、外観性をより向上させることができるスーツケースが望まれる。
【先行技術文献】
【特許文献】
【０００６】
【特許文献１】実用新案登録第３２１５４３１号公報
【発明の概要】
【発明が解決しようとする課題】
【０００７】
本発明は、外観性をより向上させることができるスーツケースを提供することを課題とする。
【課題を解決するための手段】
【０００８】
請求項１に係る発明は、ケース本体と、このケース本体の開口を塞ぐ蓋体と、この蓋体と前記ケース本体を開閉自在に繋ぐファスナーと、キャスターとを備えているスーツケースにおいて、
前記ファスナーは、一条当たり２個のスライダーを有し、
前記スライダーは、利用者が摘む引き手を有し、
前記引き手が、前記ケース本体の所定位置に仮固定されるように、前記引き手と前記ケース本体の一方に永久磁石が設けられ、前記引き手と前記ケース本体の他方に前記永久磁石が吸着する鋼片が設けられていることを特徴とする。
【０００９】
請求項２に係る発明は、請求項１記載のスーツケースであって、
前記所定位置に、前記２個のスライダーをカバーすると共に施錠が可能なスライダーカバーが設けられていることを特徴とする。
【００１０】
請求項３に係る発明は、請求項２記載のスーツケースであって、
前記スライダーカバーは、前記ケース本体と前記蓋体の一方に固定されたカバーベースと、前記ケース本体と前記蓋体の他方にヒンジを介して取付けられ前記カバーベースに嵌る又は外れる開閉カバーと、からなり、
前記カバーベースに前記永久磁石又は前記鋼片が設けられていることを特徴とする。
【００１１】
請求項４に係る発明は、請求項３記載のスーツケースであって、
前記カバーベースは、前記引き手を収納する凹部を備え、この凹部の底に前記永久磁石又は前記鋼片が設けられていることを特徴とする。
【００１２】
請求項５に係る発明は、請求項２〜４のいずれか１項記載のスーツケースであって、
前記ファスナーは、防水ファスナーであり、
前記スライダーカバーは、前記所定位置にある前記２個のスライダーを覆って前記２個のスライダー間の防水性を高めるパッキンを備えていることを特徴とする。
【発明の効果】
【００１３】
請求項１に係る発明では、スライダーを備えるスーツケースにおいて、スライダーに付属する引き手をケース本体に磁気吸着させるようにした。キャスターを用いてスーツケースを移動し、スーツケースが振動しても、引き手が揺れることはなく、外見性が高まる。
よって、本発明によれば、外観性をより向上させることができるスーツケースが提供される。
【００１４】
請求項２に係る発明では、所定位置に、２個のスライダーをカバーすると共に施錠が可能なスライダーカバーが設けられている。仮に、スライダーが露出していると防犯上不具合が起こりやすい。
本発明では、施錠したスライダーカバーでスライダーをカバーするため、防犯性能が高まる。
【００１５】
請求項３に係る発明では、スライダーカバーは、カバーベースと、開閉カバーと、からなり、カバーベースに永久磁石又は鋼片を設けた。カバーベースに一対の引き手を確実に磁気吸着させることができる。
【００１６】
請求項４に係る発明では、カバーベースに引き手を収納する凹部を設け、凹部の底に永久磁石又は鋼片を設けた。凹部に引き手を収納するため、引き手の収まりがよくなる。
【００１７】
請求項５に係る発明では、スーツケースのファスナーは防水ファスナーであり、スライダーカバーは防水性を高めるパッキンを備えている。防水性に優れたスーツケースが提供される。
【図面の簡単な説明】
【００１８】
【図１】本発明に係るスーツケースの側面図であって、開閉カバーが閉じているときのスーツケースの側面図である。
【図２】開閉カバーが開いているときのスーツケースの側面図である。
【図３】防水性を有するファスナーの断面図である。
【図４】スライダーカバーの構造を説明する図である。
【図５】開閉カバーが閉じているときのスライダーカバーを説明する図である。
【図６】図５の６−６矢視図（ただし、要部は破断）である。
【図７】別のファスナーの平面図である。
【図８】更に別のファスナーの断面図である。
【図９】別のスーツケースの側面図及び要部拡大断面図である。
【発明を実施するための形態】
【００１９】
本発明の実施の形態を添付図に基づいて以下に説明する。なお、図面は符号の向きに見るものとする。
【実施例】
【００２０】
図１に示すように、スーツケース１０は、ケース本体１１と、このケース本体１１の開口を塞ぐ蓋体１２と、この蓋体１２とケース本体１１を開閉自在に繋ぐファスナー２０と、このファスナー２０を局部的に覆うスライダーカバー４０と、ケース本体１１及び蓋体１２の底に設けたキャスター１４と、ケース本体１１に設けた伸縮ハンドル１５と、非伸縮形のハンドル１６とを備えている。
【００２１】
図１では、スライダーカバー４０は、閉じている。スライダーカバー４０を開状態にすると、図２のようになる。
図２に示すように、ファスナー２０は、一条当たり２個のスライダー３１、３２を有している。その他の構成要素は、図１と同じであるため、図１の符号を流用し、詳細な説明は省略する。
【００２２】
図３は、ファスナーの構造及び作用を説明する図であり、図３（ｂ）は、図２の３ｂ−３ｂ線断面図である。
図３（ａ）に示すように、ケース本体１１に、一方のチャンネル２１及び一方のテープ２２を載せ、これらをケース本体１１に糸２３で縫って固定する。縫製後にチャンネル２１をＵ字状にして、糸２３を隠すようにする。
【００２３】
さらに、一方のテープ２２の先端に一方のファスナー歯列２４が設けられている。加えて、ケース本体１１の端部には、先端が谷形のシール材２５が取付けられている。この谷形のシール材２５は、一方のファスナー歯列２４の下に配置される。
【００２４】
また、蓋体１２に、他方のチャンネル２６及び他方のテープ２７を載せ、これらを蓋体１２に糸２３で縫って固定する。縫製後にチャンネル２６をＵ字状にして、糸２３を隠すようにする。
【００２５】
さらに、他方のテープ２７の先端に他方のファスナー歯列２８が設けられている。加えて、蓋体１２の端部には、先端が山形のシール材２９が取付けられている。この山形のシール材２９は、他方のファスナー歯列２８の下に配置される。
【００２６】
後述するスライダーで、一方のファスナー歯列２４に他方のファスナー歯列２８を噛み合わせると、シール材２５の谷にシール材２９の山が密着する。
図３（ｂ）に示すように、谷形のシール材２５が山形のシール材２９に密着することで、防水性能が発揮される。
【００２７】
なお、本発明での防水性能や防水性は、完全防水の他、簡易防水（生活防水とも呼ばれる。）や防滴を含む。
完全防水は、水中において水圧を受けても漏れない防水性能を意味する。
簡易防水（生活防水）は、降水時の雨水程度に対応する程度の防水性能を意味する。
防滴は、滴下する水滴に対応する程度の防水性能を意味する。
【００２８】
図４（ａ）に示すように、一条当たり２個のスライダー３１、３２を有する場合、一方のスライダー３１に他方のスライダー３２を当てても、２個のスライダー３１、３２の間では、一方のファスナー歯列２４に対して他方のファスナー歯列２８が、不可避的に（図面では左右に）離れる。結果、範囲Ｌ１が、不完全噛み合い部となる。この範囲Ｌ１では、図３（ｂ）で説明したシール材２５がシール材２９からある程度離れる。離れると防水性能が低下する。
【００２９】
その対策を、以下に説明する。
図４（ｂ）に示すように、スライダーカバー４０は、ケース本体１１（又は、蓋体１２）に固定されたカバーベース４１と、蓋体１２（又はケース本体１１）にヒンジ５１を介して取付けられた開閉カバー５２とからなる。ヒンジ５１には、開閉カバー５２を開側へ付勢するトーションばね５３が設けられている。
【００３０】
カバーベース４１は、平たい矩形のボックスであって、一方のファスナー歯列２４に沿った部位に凹部４２を有し、この凹部４２を挟むようにして両側面にロック爪４３、４３を有し、適所にアンロックノブ４４と、キー穴４５と、暗唱番号用ダイヤル４６とを有する。
凹部４２は、２個の引き手３３、３４を収納し得る大きさの窪みであればよく、大きさ、形状は適宜変更可能である。
【００３１】
開閉カバー５２は、平板部５４と、この平板部５４の両辺に立てた一対の側壁部５５と、ヒンジ５１側に立てた奥壁部５６とからなり、一対の側壁部５５に、ロック爪４３に対応するフック部５７が設けられている。
加えて、平板部５４の中央に浅い窪み５８が形成されており、この窪み５８に、直方体状のパッキン６０が接着剤などにより取付けられる（矢印（１））。
【００３２】
矢印（２）の如く、開閉カバー５２を閉じる。ロック爪４３にフック部５７が引っ掛かるため、開閉カバー５２は閉じ位置に保たれる。
【００３３】
図４（ｃ）は、図４（ｂ）のｃ−ｃ線断面図であり、引き手３３、３４には、永久磁石６８が設けられている。対して、凹部４２の底に鋼片６９が設けられている。すなわち、鋼片６９はカバーベース４１を構成する樹脂中に設けられている。
永久磁石６８が発する磁力線は樹脂を貫通して鋼片６９に至り、引き手３３、３４がカバーベース４１に仮固定される。
【００３４】
永久磁石６８は、円板状又は円柱状のものを引き手３３、３４の下面に設けた凹部に嵌めて接着剤で固定することが推奨されるが、テープ状又は板状のものを引き手３３、３４の下面にビス固定又は接着固定してもよい。
鋼片６９は、樹脂中に埋設することを基本とするが、カバーベース４１に接着してもよい。
【００３５】
図４（ｂ）において、仮固定により、引き手３３、３４が凹部４２に納まっているため、矢印（２）の如く、開閉カバー５２を閉じるときに、引き手３３、３４がカバーベース４１と開閉カバー５２との間に挟まる心配はない。
なお、引き手３３、３４に鋼片６９を設け、カバーベース４１に永久磁石６９を設けることは差し支えない。
【００３６】
ただし、鋼片６９は樹脂を補強する役割を果たすため、カバーベース４１に埋設することが推奨される。
また、カバーベース４１から凹部４２を省略することができる。この場合は、鋼片６９（又は永久磁石６８）は、カバーベース４１に埋設する。
【００３７】
図５に示すように、開閉カバー５２は閉じ位置に保たれる。ダイヤル４６が所定の暗唱番号に合わされるか又はキー穴４５に所定のキーが差し込まれ回されるまでは、開閉カバー５２が開く心配は無い。
【００３８】
仮に、２個のスライダー３１、３２が露出していると、スライダー３１、３２が悪戯される心配がある。この点、本実施例では、２個のスライダー３１、３２がスライダーカバー４０で隠されるため、悪戯される心配が無い。
【００３９】
ダイヤル４６が所定の暗唱番号に合わされるか又はキー穴４５に所定のキーが差し込まれ回された後に、アンロックノブ４４が人為的に押されると、ロック爪４３が後退し、トーションばね５３の作用で開閉カバー５２は開き、図４（ｂ）の形態になる。
【００４０】
図６は、図５の６−６矢視図であり、スライダー３１、３２が、パッキン６０で覆われている。そのため、図４（ａ）で説明した２個のスライダー３１、３２の間（範囲Ｌ１）がパッキン６０で塞がれ、防水処置が講じられる。
よって、防水性を有するファスナー２０を備えるスーツケース１０において、一条当たり２個のスライダー３１、３２を有する場合であっても防水性能を強化することができるスーツケースが提供される。
【００４１】
なお、パッキン６０は、ゴムブロックや軟質樹脂ブロックが広く適用でき、格別に材質や形状は限定されない。しかし、パッキン６０は、シリコンゴムが好適である。
シリコンゴムは、珪素に適当な物質を配合して得た樹脂系ゴムであり、弾性性能と防水性能を発揮する。シリコンゴムは、日用品や医療品に広く利用され、安価である。品質的にも安定している。よって、シリコンゴムは、スーツケース１０の防水補強材として好適である。
【００４２】
また、防水性を有するファスナー２０は、図３に説明した構造に限定されるものではない。その具体例を、図７、図８に基づいて説明する。
図７に示すように、一方のファスナー歯列２４及び他方のファスナー歯列２８を、軟質樹脂のような弾性体で構成する。一方のファスナー歯列２４及び他方のファスナー歯列２８が弾性変形しつつ、防水性能を発揮する。
【００４３】
又は、図８（ａ）に示すように、一方のファスナー歯列２４を一方のテープ２２でＵ字状に囲った上で、一方のテープ２２をＵ環６２で圧縮する。多数個のＵ環６２が、図面表裏方向に並んでいる。
同様に、他方のファスナー歯列２８を他方のテープ２７でＵ字状に囲った上で、他方のテープ２７をＵ環６２で圧縮する。
図８（ｂ）に示すように、スライダーで一方のファスナー歯列２４に他方のファスナー歯列２８を噛み合わせると、一方のテープ２２と他方のテープ２７とが互いに圧縮され、防水性能を発揮する。
【００４４】
よって、本発明におけるファスナー２０は、防水性を有すればよく、図３、図７及び図８で説明したものを含め、構造や種類は問わない。
【００４５】
本発明に係るスーツケース１０の変更例を図９に基づいて説明する。
図９（ａ）に示すように、スーツケース１０は、ケース本体１１と、このケース本体１１の開口を塞ぐ蓋体１２と、この蓋体１２とケース本体１１を開閉自在に繋ぐファスナー２０と、キャスター１４とを備えている。
【００４６】
さらに、ファスナー２０は、一条当たり２個のスライダー３１、３２を有し、スライダー３１は引き手３３を有し、スライダー３２は引き手３４を有している。なお、ファスナー２０は、非防水ファスナー、すなわち普通のファスナーである。
【００４７】
図９（ｂ）は、図９（ａ）のｂ−ｂ線断面図である。
図９（ｂ）に示すように、引き手３３、３４に永久磁石６８が設けられ、ケース本体１１に鋼片６９が設けられている。
永久磁石６８が発する磁力線がチャンネル２１及びテープ２２を貫通して鋼片６９に到達するため、引き手３３、３４は、ケース本体１１側に吸着固定される。ただし、この固定は強力ではなく、半固定若しくは仮固定と呼ばれる程度のものである。
【００４８】
図９（ａ）に示すように、引き手３３、３４は水平状態が維持される。維持されるため、キャスター１４を用いてスーツケース１０を横移動するときに、引き手３３、３４が、従来技術のように、垂れた上で、左右に揺れることがない。
そのため、引き手３３、３４が露出している場合であっても、スーツケース１０の外観性が向上する。
【００４９】
尚、本発明は、狭義のスーツケースに留まらず、トランクやキャリーケース等のハードケースに広く適用できる。
また、スライダーカバー４０の構造については、図４〜図６で説明した構造は、好適な一例を示したに過ぎず、適宜変更することは差し支えない。
【００５０】
また、引き手３３、３４に永久磁石６８を設けるとは、引き手３３、３４に別体の永久磁石６８を付設する他、引き手３３、３４自体を永久磁石６８で構成することを含む。
また、引き手３３、３４に鋼片６９を設けるとは、引き手３３、３４に別体の鋼片６９を付設する他、引き手３３、３４自体を鋼片６９で構成することを含む。
【００５１】
さらには、永久磁石６８が吸着する鋼片６９は、炭素鋼の他、永久磁石であってもよい。永久磁石同士を磁気吸着させることができるからである。
【００５２】
また、ファスナー２０は、防水ファスナーと非防水ファスナーの何れであってもよい。  さらには、スーツケース１０に、スライダーカバー４０を設けるか、否かは任意である。
【産業上の利用可能性】
【００５３】
本発明は、外観性が要求されるスーツケースに好適である。
【符号の説明】
【００５４】
１０…スーツケース、１１…ケース本体、１２…蓋体、１４…キャスター、２０…ファスナー、３１、３２…スライダー、３３、３４…引き手、４０…スライダーカバー、４１…カバーベース、４２…凹部、４５…キー穴、４６…ダイヤル、５１…ヒンジ、５２…開閉カバー、６０…パッキン、６８…永久磁石、６９…鋼片。
【図１】
2019216978.tif 000003
【図２】
2019216978.tif 000004
【図３】
2019216978.tif 000005
【図４】
2019216978.tif 000006
【図５】
2019216978.tif 000007
【図６】
2019216978.tif 000008
【図７】
2019216978.tif 000009
【図８】
2019216978.tif 000010
【図９】
2019216978.tif 000011